(57)【要約】【課題】被放出物が空中に広角な拡散状態に発射し、もってステージを華やかに演出できるクラッカーを提供する。【解決手段】被放出物３を充填した前方開放状の被放出物収容袋４が筒状体１の内部における爆薬体２の前方に収容配置されるとともに、袋開口縁４ａを筒状体１の発射口縁６ａに一体的に接合して発射口６を密封するように取付けられる。被放出物収容袋４は爆薬体２の爆発時の爆風を受けて発射口６の方向へ勢い良く瞬時に移動し、この被放出物収容袋４の瞬間的な移動により被放出物３が押され、また被放出物３により蓋部材８が押し開かれて、被放出物３が発射口６から勢い良く空中に吐き出し発射されるが、被放出物収容袋４は発射口６から外方へ裏返し膨らみ状態に突出するに伴って被放出物３を空中に広角な拡散状態に遠方へ発射させる。【選択図】図１
2007298187.tif 000002
【特許請求の範囲】
【請求項１】
前端に発射口を有する筒状体の内部に、引紐の引張り操作で爆発する爆薬体と、この爆薬体と前記発射口との間に配される被放出物とを収容し、前記筒状体の発射口は、前記爆薬体の爆発時の爆風を受けて前記発射口の方向へ発射する前記被放出物により押し開かれる蓋部材で閉塞されているクラッカーにおいて、
前記被放出物が充填される前方開放状の被放出物収容袋を備え、この被放出物収容袋が、前記筒状体の内部における前記爆薬体の前方に収容配置されるとともに、前方の袋開口縁を前記筒状体の発射口縁に一体的に接合して前記発射口を密封するように取付けられていることを特徴とする、クラッカー。
【発明の詳細な説明】
【技術分野】
【０００１】
本発明は、クリスマスや結婚式等の祝宴などに用いられ、引紐の引張り操作によって爆薬体体が爆発し、この爆発によって紙吹雪やテープ等の被放出物を空中に発射させるクラッカーに関する。
【背景技術】
【０００２】
従来、この種のクラッカーとして、たとえば、図３、図４に示すようなものがある（例えば、特許文献１参照。）。そのクラッカーは、筒状体２２の発射口２１を有する前端に、該発射口２１を閉塞する蓋部材２０を一体に折曲自在に連設し、該筒状体２２の内部に、後方から前方に向かって順に引紐２３の引張り操作で爆発する爆薬体２４、この爆薬体２４の爆発エネルギーを受けて発射口２１の方向へ発射される栓状の可動受圧体２５、この可動受圧体２５の衝突を受けて発射口２１の方向へはじき飛ばされ、前記蓋部材２０を押し開いて空中に発射される紙吹雪やテープ等の被放出物２６を収容している。
【０００３】
【特許文献１】特開平１１−２３０７００号公報
【発明の開示】
【発明が解決しようとする課題】
【０００４】
しかしながら、筒状体２２の中にあって往復運動できる栓状の可動受圧体２５で被放出物２６を発射させる上記クラッカーでは、被放出物２６が前方に向かって真っ直ぐに飛ぶ傾向が大きいため、空中に四方に飛び散る拡散の度合いが低く、華やかさ、演出効果が薄かった。
【０００５】
本発明は、このような問題を解決するためになされたものであり、その目的とするところは、上記のような、引紐の引張り操作によって爆薬体が爆発し、この爆発によって紙吹雪やテープ等の被放出物を空中に発射させるクラッカーにおいて、被放出物が空中に広角な拡散状態に遠方へ発射するようにし、もってステージを一段と華やかに演出できるクラッカーを提供することにある。
【課題を解決するための手段】
【０００６】
本発明は、前端に発射口を有する筒状体の内部に、引紐の引張り操作で爆発する爆薬体と、この爆薬体と前記発射口との間に配される被放出物とを収容し、前記筒状体の発射口は、前記爆薬体の爆発時の爆風を受けて前記発射口の方向へ発射する前記被放出物により押し開かれる蓋部材で閉塞されているクラッカーにおいて、前記被放出物が充填される前方開放状の被放出物収容袋を備え、この被放出物収容袋が、前記筒状体の内部における前記爆薬体の前方に収容配置されるとともに、前方の袋開口縁を前記筒状体の発射口縁に一体的に接合して前記発射口を密封するように取付けられていることに特徴を有するものである。
このような構成によれば、被放出物収容袋が、爆薬体の爆発時の爆風を受けて前記発射口の方向へ勢い良く瞬時に移動し、前記発射口から外方へ裏返しながら膨らみ状態に突出し、この被放出物収容袋の突出に伴って前記被放出物を外方へ広角な拡散状態に吐き出して遠方へ発射させる。
【発明の効果】
【０００７】
本発明によれば、被放出物を充填する被放出物収容袋が爆薬体の爆風を受けて裏返しながら膨らみ状態に発射口から突出するようにしてあるので、被放出物は、被放出物収容袋が裏返されながら膨らみ状態に突出する作用を受けて広角に拡散して遠方へ発射し、また被放出物収容袋の裏返し作用に伴い旋回力を直接受けて吐き出される紙吹雪のような被放出物は舞い散るのを助長することになり、この種従来のクラッカーのように前方へ向かって真っ直ぐに飛び散るものに比べ、ステージを一段と華やかに演出する効果がある。
また、被放出物収容袋の裏返しにより被放出物の一片も筒状体内に残すことなく全部を吐き出して発射させることができる。発射後、被放出物収容袋は筒状体から離れることはなく、筒状体につながれたままであるので、使用後の後片付けも楽である。爆薬体２の爆発に伴って発生する煙や臭いは被放出物収容袋内に閉じ込められるため、外部に放出するようなことはない。
【発明を実施するための最良の形態】
【０００８】
本発明の好適な実施形態を図面に基づき説明する。図１は本発明の一実施例のクラッカーを発射前の状態で示す断面図、図２は発射後のクラッカーの断面図である。
【０００９】
図１において、本発明に係るクラッカーは、筒状体１と、爆薬体２と、被放出物３、および被放出物収容袋４を備える。
【００１０】
筒状体１は厚紙やプラスチックなどで円筒形もしくは多角形の筒状に形成され、この後端側が把手部５とされ、前端に発射口６が形成される。発射口６は筒状体１の外面に巻き付けられる外装紙７の前端突出部７ａを蓋部材８に利用しこの蓋部材８を発射口６に向けて折り重ねることにより閉塞されるようにしている。
【００１１】
爆薬体２は、引紐９を引張り操作で爆発する、所謂引玉と称されるもので、その１個もしくは２個以上が爆薬体受け座１０で受け止められるように装着されている。爆薬体２に通された引紐９は爆薬受け座１０から筒状体１の後方へ延出させている。
【００１２】
被放出物収容袋４は、本発明の特徴とする構成部材であって、爆薬体２の爆発に伴う爆風の風圧を受けても破れることなく、柔軟で撓み性に優れる塩化ビニル等樹脂フィルムないしシートや薄い布などで前方開放状の有底筒状に形成されて筒状体１内の爆薬体２の前側に収容される。この被放出物収容袋４の前方の袋開口縁４ａは、筒状体１の発射口６の外周に折り返され、この折り返された袋開口縁４ａの外周が前記外装紙７で筒状体１の外周に対し押え付けられて発射口縁６ａに一体的に接合される。これにより被放出物収容袋４は発射口６を密封し、かつ爆薬体２の爆発に伴う爆風の風圧を受けても発射口縁６ａから離脱することのない取付け状態が得られる。
【００１３】
被放出物３は紙吹雪や巻テープなどからなり、被放出物収容袋４の中に充填されるが、使用前には前記筒状体１の発射口６を閉塞する蓋部材８によって被放出物収容袋４の袋口も閉塞されるため、被放出物３が被放出物収容袋４からこぼれ出ることはない。
【００１４】
このように構成されたクラッカーは、筒状体１の把手部５を片手で持ち、他方の手で引紐９を引っ張って爆薬体を爆発させると、その爆発に伴う爆風によって被放出物収容袋４が筒状体１の中を勢い良く瞬時に発射口６の方へ移動する。この被放出物収容袋４の瞬間的な移動により被放出物３が押され、また被放出物３により蓋部材８が押し開かれて、被放出物３は一片も残すことなく全部が発射口６から勢い良く空中に吐き出される。そしてて、その飛距離も上記従来の特開平１１−２３０７００号公報に記載されたクラッカーに遜色ないほどに遠方へ発射される。このとき、被放出物収容袋４は袋開口縁４ａを発射口縁６ａに一体的に接合してあるので、筒状体１から離脱して飛び出るようなことはなく、図２に示すように発射口縁６ａにつながれたままの状態で発射口６から裏返されながら膨らみ状態に突出する。被放出物収容袋４が裏返し膨らみ状態に突出するに伴って被放出物３は四方に広角で拡散しながら発射することになり、また被放出物収容袋４の裏返し作用を直接受けて吐き出される紙吹雪のような被放出物３は舞い散るのを助長するため、ステージの演出効果を一段と高める。また、爆薬体２の爆発に伴って発生する煙や臭いは被放出物収容袋４内に閉じ込められるため、外部に放出するようなことはない。
【００１５】
上記実施例では、筒状体１の発射口６は、筒状体１の外面に巻き付けられる外装紙７の前端突出部７ａを蓋部材８に利用しこの蓋部材８で閉塞するが、これに代えて、図３に示す従来のクラッカーの蓋部材２０の場合と同じように、筒状体１の前端に蓋部材８を一体に折曲自在に連設し、この蓋部材８を発射口６の内方に折り込むことにより発射口６を閉塞することもできる。
また、被放出物収容袋４の袋開口縁４ａを筒状体１の発射口縁６ａに一体的に接合する手段としては、上記実施例のように袋開口縁４ａを筒状体１の発射口６の外周に折り返して一体的に接合するに代えて、袋開口縁４ａを筒状体１の発射口６の内周に接着剤などで一体的に接合することもできる。
【図面の簡単な説明】
【００１６】
【図１】本発明の一実施例のクラッカーを発射前の状態で示す断面図である。
【図２】本発明の一実施例のクラッカーを発射後の状態で示す断面図である。
【図３】従来例のクラッカーを発射前の状態で示す断面図である。
【図４】従来例のクラッカーを発射後の状態で示す断面図である。
【符号の説明】
【００１７】
１  筒状体
２  爆薬体
３  被放出物
４  被放出物収容袋
４ａ  袋開口縁
６  発射口
６ａ  発射口縁
８  蓋部材
９  引紐
【図１】
2007298187.tif 000003
【図２】
2007298187.tif 000004
【図３】
2007298187.tif 000005
【図４】
2007298187.tif 000006